(57)【要約】【課題】インターネットを利用して、物品の販売、賃貸、物品の購入希望、賃借希望のオークションを仲介することができるインターネットオークション仲介システムを提供する。【解決手段】インターネット４を介して顧客端末６，６…と通信自在に接続されたサーバ３が、オークションを仲介するインターネットオークション仲介システム１に於いて、前記サーバ３は、顧客端末６からの入札情報を受信する入札情報受信手段と、受信した入札情報の状況を公開する入札状況公開手段と、受信した入札結果を前記出品情報又は希望情報を登録した登録者の顧客端末６に送信する入札結果送信手段と、登録者が入札結果から選択した選択結果を顧客端末６から受信する選択結果受信手段と、受信した選択結果又は入札結果に基づき、落札を決定する落札決定手段と、落札結果を登録者及び落札者の顧客端末６に送信する落札結果送信手段等を備えている。【選択図】図１
2007280245.tif 000002
【特許請求の範囲】
【請求項１】
インターネットを介して顧客端末と通信自在に接続されたサーバが、オークションを仲介するインターネットオークション仲介システムに於いて、
前記サーバは、
顧客端末からの要求に基づき、顧客が出品情報又は希望情報としての登録情報を入力するための登録ページを前記顧客端末に送信する登録ページ送信手段と、
前記顧客端末から前記登録情報を受信するための登録情報受信手段と、
受信した登録情報をデータベースに登録する登録手段と、
登録された登録情報を抽出し、インターネットサイトによって公開する登録情報公開手段と、
顧客端末からの入札情報を受信する入札情報受信手段と、
受信した入札情報の状況を公開する入札状況公開手段と、
受信した入札結果を前記出品情報又は希望情報を登録した登録者の顧客端末に送信する入札結果送信手段と、
前記登録者が入札結果から選択した選択結果を前記顧客端末から受信する選択結果受信手段と、
受信した選択結果又は入札結果に基づき、落札を決定する落札決定手段と、
落札結果を登録者及び落札者の顧客端末に送信する落札結果送信手段とを備えたことを特徴とするインターネットオークション仲介システム。
【請求項２】
前記登録情報は、物品を販売するための販売出品情報又は物品を賃貸するための賃貸出品情報であり、前記登録ページは、販売出品情報及び／又は賃貸出品情報を入力する欄を備えていることを特徴とする請求項１記載のインターネットオークション仲介システム。
【請求項３】
前記登録情報は、物品を販売するための販売出品情報と、賃貸するための賃貸出品情報とを併せ持ち、
前記登録ページは、更に、販売出品情報及び賃貸出品情報を併せて入力する欄と、販売と賃貸の両方が共に入札成立の時、販売優先と賃貸優先の何れを選択するかを設定する落札条件を入力する欄とを備え、
前記サーバは、更に、入札終了時に、前記落札条件が販売優先と賃貸優先の何れかを判別する落札条件判別手段を備えていることを特徴とする請求項２記載のインターネットオークション仲介システム。
【請求項４】
前記登録情報は、物品を購入希望するための購入希望情報、物品を賃借希望するための賃借希望情報、購入希望情報と賃借希望情報とを併せ持つ情報の何れか１つであり、前記登録ページは、購入希望情報、賃借希望情報、購入希望情報と賃借希望情報とを併せ持つ情報の少なくとも１つを入力する欄を備えていることを特徴とする請求項１記載のインターネットオークション仲介システム。
【発明の詳細な説明】
【技術分野】
【０００１】
本発明は、インターネットを利用して、物品の販売、賃貸、物品の購入希望、賃借希望のオークションを仲介するインターネットオークション仲介システムに関するものである。
【背景技術】
【０００２】
従来、インターネットを利用して、物品の販売を仲介するオークション仲介システムは、広く普及している。
例えば、特許文献１及び２にもインターネットを利用したオークションシステムが記載されている。
特許文献１には、違法な出品がされた時点でチェックが行なえるインターネットオークションのチェックシステムが記載されている。
又、特許文献２には、サーバが、売手側端末から受信した商品情報と共に売手側にて掲載商品の品質を保証する旨の情報をサイトに掲載するネットオークションシステムが記載されている。
【特許文献１】特開２００６−５３８０９号公報
【特許文献２】特開２００２−１８９９２６号公報
【発明の開示】
【発明が解決しようとする課題】
【０００３】
前述したように、インターネットを利用したオークションシステムに於いて、物品の販売をオークション仲介するシステムは既に広く知られている。
然しながら、物品の賃貸や、物品の購入希望、或いは、物品の賃借希望をオークションで仲介するシステムはまだ実用化されていない。
【０００４】
以上の現状に鑑み、本発明は、インターネットを利用して、物品の販売、賃貸、物品の購入希望、賃借希望のオークションを仲介することができるインターネットオークション仲介システムを提供することを目的とする。
【課題を解決するための手段】
【０００５】
上記の課題を解決すべく、本発明は以下の構成を提供する。
請求項１に係る発明は、インターネットを介して顧客端末と通信自在に接続されたサーバが、オークションを仲介するインターネットオークション仲介システムに於いて、
前記サーバは、
顧客端末からの要求に基づき、顧客が出品情報又は希望情報としての登録情報を入力するための登録ページを前記顧客端末に送信する登録ページ送信手段と、
前記顧客端末から前記登録情報を受信するための登録情報受信手段と、
受信した登録情報をデータベースに登録する登録手段と、
登録された登録情報を抽出し、インターネットサイトによって公開する登録情報公開手段と、
顧客端末からの入札情報を受信する入札情報受信手段と、
受信した入札情報の状況を公開する入札状況公開手段と、
受信した入札結果を前記出品情報又は希望情報を登録した登録者の顧客端末に送信する入札結果送信手段と、
前記登録者が入札結果から選択した選択結果を前記顧客端末から受信する選択結果受信手段と、
受信した選択結果又は入札結果に基づき、落札を決定する落札決定手段と、
落札結果を登録者及び落札者の顧客端末に送信する落札結果送信手段とを備えたことを特徴とするインターネットオークション仲介システムを提供するものである。
【０００６】
請求項２に係る発明は、前記登録情報は、物品を販売するための販売出品情報又は物品を賃貸するための賃貸出品情報であり、前記登録ページは、販売出品情報及び／又は賃貸出品情報を入力する欄を備えていることを特徴とする請求項１記載のインターネットオークション仲介システムを提供するものである。
【０００７】
請求項３に係る発明は、前記登録情報は、物品を販売するための販売出品情報と、賃貸するための賃貸出品情報とを併せ持ち、
前記登録ページは、更に、販売出品情報及び賃貸出品情報を併せて入力する欄と、販売と賃貸の両方が共に入札成立の時、販売優先と賃貸優先の何れを選択するかを設定する落札条件を入力する欄とを備え、
前記サーバは、更に、入札終了時に、前記落札条件が販売優先と賃貸優先の何れかを判別する落札条件判別手段を備えていることを特徴とする請求項２記載のインターネットオークション仲介システムを提供するものである。
【０００８】
請求項４に係る発明は、前記登録情報は、物品を購入希望するための購入希望情報、物品を賃借希望するための賃借希望情報、購入希望情報と賃借希望情報とを併せ持つ情報の何れか１つであり、前記登録ページは、購入希望情報、賃借希望情報、購入希望情報と賃借希望情報とを併せ持つ情報の少なくとも１つを入力する欄を備えていることを特徴とする請求項１記載のインターネットオークション仲介システムを提供するものである。
【発明の効果】
【０００９】
本発明の請求項１記載の発明によれば、インターネットを介して顧客端末と通信自在に接続されたサーバが、オークションを仲介するインターネットオークション仲介システムに於いて、前記サーバは、顧客端末からの要求に基づき、顧客が出品情報又は希望情報としての登録情報を入力するための登録ページを前記顧客端末に送信する登録ページ送信手段と、前記顧客端末から前記登録情報を受信するための登録情報受信手段と、受信した登録情報をデータベースに登録する登録手段と、登録された登録情報を抽出し、インターネットサイトによって公開する登録情報公開手段と、顧客端末からの入札情報を受信する入札情報受信手段と、受信した入札情報の状況を公開する入札状況公開手段と、受信した入札結果を前記出品情報又は希望情報を登録した登録者の顧客端末に送信する入札結果送信手段と、前記登録者が入札結果から選択した選択結果を前記顧客端末から受信する選択結果受信手段と、受信した選択結果又は入札結果に基づき、落札を決定する落札決定手段と、落札結果を登録者及び落札者の顧客端末に送信する落札結果送信手段とを備えたインターネットオークション仲介システムを提供するので、インターネットを利用して、出品情報又は希望情報をオークション仲介できると共に、登録者が入札結果から落札を決定するための情報を選択することができる。
【００１０】
請求項２記載の発明によれば、前記登録情報は、物品を販売するための販売出品情報又は物品を賃貸するための賃貸出品情報であり、前記登録ページは、販売出品情報及び／又は賃貸出品情報を入力する欄を備えているので、請求項１記載の発明の効果に加え、物品の販売出品又は物品の賃貸出品について、インターネットを利用して、オークションを仲介できる。
【００１１】
請求項３記載の発明によれば、前記登録情報は、物品を販売するための販売出品情報と、賃貸するための賃貸出品情報とを併せ持ち、前記登録ページは、更に、販売出品情報及び賃貸出品情報を併せて入力する欄と、販売と賃貸の両方が共に入札成立の時、販売優先と賃貸優先の何れを選択するかを設定する落札条件を入力する欄とを備え、前記サーバは、更に、入札終了時に、前記落札条件が販売優先と賃貸優先の何れかを判別する落札条件判別手段を備えているので、請求項２記載の発明の効果に加え、物品を販売するための販売出品情報と、賃貸するための賃貸出品情報とを併せ持ち、入札結果によってそのいずれかを選択できるオークションを仲介できる。
【００１２】
請求項４記載の発明によれば、前記登録情報は、物品を購入希望するための購入希望情報、物品を賃借希望するための賃借希望情報、購入希望情報と賃借希望情報とを併せ持つ情報の何れか１つであり、前記登録ページは、購入希望情報、賃借希望情報、購入希望情報と賃借希望情報とを併せ持つ情報の少なくとも１つを入力する欄を備えているので、請求項１記載の発明の効果に加え、購入希望情報、賃借希望情報、購入希望情報と賃借希望情報のいずれについてもオークション仲介できる。
【発明を実施するための最良の形態】
【００１３】
以下、実施例を示した図面を参照しつつ本発明の実施の形態を説明する。
図１は、本発明のインターネットオークション仲介システムの概略図である。
本発明のインターネットオークション仲介システム１は、サイト運営会社２に設置されるサーバ３がインターネット４を介して、会員である１乃至複数の顧客５，５…が操作する１乃至複数の顧客端末６，６…と通信自在に接続されている。
【００１４】
本発明のインターネットオークション仲介システム１によってオークションされる対象物としては次のようなものが考えられる。
インテリア、コンピュータ、自動車、おもちゃ、生活家具、家電、本・雑誌、アクセサリー等のあらゆる物品に加え、人材、スペース、権利等も含まれる。
【００１５】
図２は、本発明のインターネットオークション仲介システム１のための前記サーバ３が備える主な手段を示している。
即ち、前記サーバ３は、顧客端末６からの要求に基づき、顧客５が物品を販売するための販売出品情報又は賃貸するための賃貸出品情報等である出品情報、又は、物品を購入希望するための購入希望情報又は物品を賃借希望するための賃借希望情報等である希望情報としての登録情報を入力するための登録ページを顧客端末６に送信する登録ページ送信手段１１と、顧客端末６から登録情報を受信するための登録情報受信手段１２と、受信した登録情報をサーバ３が備えた図示しないデータベースに登録する登録手段１３と、登録された登録情報を抽出し、インターネットサイトによって公開する登録情報公開手段１４とを備えている。
【００１６】
又、前記サーバ３は、公開した登録情報を閲覧した顧客５によって入力された顧客端末６，６…からの入札情報を受信する入札情報受信手段１５と、受信した入札情報の状況を公開する入札状況公開手段１６と、受信した入札結果を、出品情報又は希望情報を登録した登録者の顧客端末６に送信する入札結果送信手段１７と、前記登録者が入札結果から選択した選択結果を顧客端末６から受信する選択結果受信手段１８と、受信した選択結果又は入札結果に基づき、落札を決定する落札決定手段１９と、落札結果を登録者及び落札者の顧客端末６，６に送信する落札結果送信手段２０とを備えている。
【００１７】
更に、前記サーバ３は、入札終了時に、後述する落札条件が販売優先と賃貸優先の何れかを判別する落札条件判別手段２１を備えている。
更に又、サーバ３は、図２に示す各手段に加え、サーバとしての機能、データベースを格納する記憶装置、顧客端末６，６…と通信する通信機能、及び、インターネットサイトを構築するための機能等も備えている。
【００１８】
前記登録情報は、例えば、物品を販売するための販売出品情報又は物品を賃貸するための賃貸出品情報であり、その場合、前記登録ページは、図９に示すように、販売出品情報を入力する入力欄３１、及び／又は、賃貸出品情報を入力する入力欄３２を備えている。
【００１９】
又、前記登録情報は、物品を販売するための販売出品情報と、賃貸するための賃貸出品情報とを併せ持つ情報であり、入札結果により販売又は賃貸を最終的に選択するものであり、その場合、登録ページは、販売出品情報及び賃貸出品情報を併せて入力する入力欄３３を備えており、前記入力欄３１及び／又は入力欄３２に加えて備えられても良い。尚、前記入力欄３２又は３３に入力する賃貸の期間や、日、月等の賃貸期間の単位は任意に設定することができる。
【００２０】
更に前記登録ページは、販売と賃貸の両方が共に入札成立の時、販売優先と賃貸優先の何れを選択するかを設定する後述する落札条件を入力する落札条件入力欄３４を備えている。尚、図９に於いて、販売出品情報を入力する欄３１、及び、賃貸出品情報を入力する欄３２にも落札条件を入力する欄が設けられているが、販売出品の場合は最高額入札者に落札し、賃貸出品の場合は入札者条件により出品者が落札出品を選択するので、落札条件は設けなくても良い。或いは、予め表示されても良い。
【００２１】
更に又、前記登録情報は、物品を購入希望するための購入希望情報及び／又は物品を賃借希望するための賃借希望情報であっても良く、その場合、前記登録ページは、図１４に示すように、購入希望情報を入力する入力欄４１、賃借希望情報を入力する入力欄４２、購入希望情報と賃借希望情報とを入力する入力欄４３のうち何れか１つ以上を備えている。
【００２２】
図３は、物品の販売出品のためのオークションである販売出品オークションのサーバに於ける処理の流れを示すフローチャートを示している。
前記サーバ３は、ホームページからのアクセス、或いは、メール送信等を介した顧客端末６からの要求に基づき、顧客５が物品販売の出品情報を登録するためのＷｅｂページである登録ページを顧客端末６に送信する（ステップＳ１）。
この場合、図９に示される登録ページが送信されるが、顧客端末６からの要求によって、物品販売の出品情報のみを登録することが予め判明している場合は、販売出品情報を入力する欄３１だけを備えた登録ページが送信されても良く、販売出品情報を入力する欄３１と賃貸出品情報を入力する欄３２を備えた登録ページが送信されても良い。
【００２３】
次に、顧客端末６から物品販売の出品情報を受信すると（ステップＳ２）、受信した出品情報をデータベースに登録する（ステップＳ３）と共に、データベースから抽出した出品情報をインターネットサイトの図１０に示す公開ページによって公開する（ステップＳ４）。出品情報が多い場合は物品の種類別に公開される。又、出品情報は商品フリーワード等で検索も可能である（他のフローチャートに於いても同様である。）。
【００２４】
公開ページには、入札情報を入力するための図１１に示す入札ページがリンクによって関連付けられており、入札ページ内に入札欄３５が付与されている。
そして、顧客端末６から入札欄３５に入力された入札情報を受信すると（ステップＳ５）、受信した入札情報の状況を図１２に示す入札状況ページによって公開する（ステップＳ６）。
次に、入札締め切り時に於いて、受信した入札結果に基づき、図１３に示す如く、落札を決定し（ステップＳ７）、落札結果をメール等で出品者及び落札者の顧客端末６，６に送信する（ステップＳ８）。
【００２５】
図４は、物品の賃貸出品のためのオークションである賃貸出品オークションのサーバに於ける処理の流れを示すフローチャートを示している。
前記サーバ３は、顧客端末６からの要求に基づき、顧客５が賃貸出品の出品情報を登録するためのＷｅｂページである登録ページを顧客端末６に送信する（ステップＳ１１）。
この場合、図９に示される登録ページが送信されるが、顧客端末６からの要求によって、物品賃貸の出品情報のみを登録することが予め判明している場合は、賃貸出品情報を入力する欄３２だけを備えた登録ページが送信されても良く、販売出品情報を入力する欄３１と賃貸出品情報を入力する欄３２を備えた登録ページが送信されても良い。
【００２６】
次に、顧客端末６から賃貸出品の出品情報を受信すると（ステップＳ１２）、受信した出品情報をデータベースに登録する（ステップＳ１３）と共に、受信した出品情報をインターネットサイトの図１０に示す公開ページによって公開する（ステップＳ１４）。
公開ページには、入札情報を入力するための図１１に示す入札ページがリンクによって関連付けられており、入札ページ内に入札欄３６が付与されている。
そして、顧客端末６から入力欄３６に入力された入札情報を受信すると（ステップＳ１５）、受信した入札情報の状況をインターネットサイトの図１２に示す入札状況ページによって公開する（ステップＳ１６）。
【００２７】
次に、入札が締め切られると、入札終了のメールを出品者の顧客端末６に送信すると共に、メールに添付されるか、或いは、メールに記載されたアドレスにリンク付けされた図１２に示す入札状況ページの最終版である入札結果を出品者の顧客端末６に送信し（ステップＳ１７）、出品者が入札結果から選択した選択結果を顧客端末６から受信すると（ステップＳ１８）、図１３に示す如く、受信した選択結果に基づき落札を決定し（ステップＳ１９）、落札結果をメール、又は、メールとメールに関連付けられたＷｅｂページによって出品者及び落札者の顧客端末６，６に送信する（ステップＳ２０）。
【００２８】
図５は、物品の販売出品と、物品の賃貸出品とを併せて行い、入札結果により販売又は賃貸を最終的に選択するためのオークションである販売・賃貸出品オークションのサーバに於ける処理の流れを示すフローチャートを示している。
前記サーバ３は、顧客端末６からの要求に基づき、顧客５が販売・賃貸出品の出品情報を登録するためのＷｅｂページである登録ページを顧客端末６に送信する（ステップＳ２１）。
この場合、図９に示される登録ページが送信されるが、顧客端末６からの要求によって、物品の販売及び賃貸出品のための出品情報のみを登録することが予め判明している場合は、物品の販売及び賃貸出品のための出品情報を入力する欄３３だけが送信されても良い。
【００２９】
この時、前記登録ページには、落札条件を入力する落札条件入力欄３４が設けられる。
落札条件は例えば、次のように設定され、出品者がその符号を落札条件入力欄３４に入力する。
Ａ：販売のみの場合は、最高額入札者が落札する
Ｂ：賃貸のみの場合は、出品者が入札者条件により判断して落札者を選択する。
Ｃ：販売及び賃貸の場合で、共に入札成立の場合は、販売優先で最高額入札者に落札する。
Ｄ：販売及び賃貸の場合で、共に入札成立の場合は、賃貸優先で出品者が入札者条件により判断して落札者を選択する。
【００３０】
次に、顧客端末６から販売・賃貸出品の出品情報を受信すると（ステップＳ２２）、データベースに登録する（ステップＳ２３）と共に、受信した出品情報をインターネットサイトの図１０に示す公開ページによって公開する（ステップＳ２４）。
公開された公開ページには、入札情報を入力するための図１１に示す入札ページがリンクによって関連付けられており、入札ページ内に入札欄３５，３６が付与されている。
そして、顧客端末６から入力欄３３，３４に入力された入札情報を受信すると（ステップＳ２５）、受信した入札情報の状況を図１２に示すインターネットサイトの入札状況ページによって公開する（ステップＳ２６）。
【００３１】
次に、入札が締め切られると、落札条件判別手段２１によって、落札条件入力欄３４に入力された前記落札条件が販売優先又は賃貸優先の何れかを判別し（ステップＳ２７）、賃貸優先の場合は、入札結果を入札結果送信手段１６に送り、入札結果送信手段１６は、入札終了のメールを出品者の顧客端末６に送信すると共に、メールに添付されるか、或いは、メールに記載されたアドレスにリンク付けされた図１２に示す入札状況ページの最終版である入札結果を出品者の顧客端末６に送信し（ステップＳ２８）、出品者が入札結果から選択した選択結果を顧客端末６から受信すると（ステップＳ２９）、図１３に示す如く、受信した選択結果に基づき落札を決定し（ステップＳ３０）、落札結果をメール、又は、メールとメールに関連付けられたＷｅｂページによって出品者及び落札者の顧客端末６，６に送信する（ステップＳ３１）。尚、ステップＳ２６で販売優先と判別したときはステップＳ３０に進み、入札結果を前記落札決定手段１９に送ると、ステップ３０以降の処理が行なわれる。
【００３２】
図６は、物品の購入希望情報のためのオークションである購入希望オークションのサーバに於ける処理の流れを示すフローチャートを示している。
前記サーバ３は、顧客端末６からの要求に基づき、顧客５が購入希望の希望情報を登録するためのＷｅｂページである希望登録ページを顧客端末６に送信する（ステップＳ４１）。
この場合、図１４に示される登録ページが送信されるが、顧客端末６からの要求によって、物品の購入希望のみを登録することが予め判明している場合は、購入希望を入力する入力欄４１だけの登録ページが送信されても良く、購入希望を入力する入力欄４１と賃貸希望を入力する入力欄４２とを備えた登録ページが送信されても良い。
【００３３】
次に、顧客端末６から購入希望情報を受信すると（ステップＳ４２）、受信した希望情報をデータベースに登録する（ステップＳ４３）と共に、データベースに登録した購入希望情報を抽出してインターネットサイトの図１５に示す公開ページによって公開する（ステップＳ４４）。
公開ページには、入札情報を入力するための図１６に示す入札ページがリンクによって関連付けられており、入札ページ内に新品購入のための入力欄５１と古品購入のための入力欄５２とが付与されている。
そして、顧客端末６から入力欄５１又は入力欄５２に入力された入札情報を受信すると（ステップＳ４５）、データベースに登録する（ステップＳ４３）と共に、図１６に示す入札ページに受信した入札情報の状況を表示して公開する（ステップＳ４６）。又、図１６内に表示された「詳細」ボタン５３をクリックすると図１７に示す詳細画面が表示され、詳細内容を閲覧できる。
【００３４】
次に、入札が締め切られると、入札終了のメールを出品者の顧客端末６に送信すると共に、メールに添付されるか、或いは、メールに記載されたアドレスにリンク付けされた図１８に示す入札結果を出品者の顧客端末６に送信し（ステップＳ４７）、出品者が入札結果から選択した選択結果を顧客端末６から受信すると（ステップＳ４８）、図１９に示す如く、受信した選択結果に基づき落札を決定し（ステップＳ４９）、落札結果をメール、又は、メールとメールに関連付けられたＷｅｂページによって出品者及び落札者の顧客端末６，６に送信する（ステップＳ５０）。
【００３５】
図７は、物品の賃借希望のためのオークションである賃借希望オークションのサーバに於ける処理の流れを示すフローチャートを示している。
サーバ３は、顧客端末６からの要求に基づき、顧客５が賃借希望の希望情報を登録するためのＷｅｂページである登録ページを顧客端末６に送信する（ステップＳ５１）。
この場合、図１４に示される登録ページが送信されるが、顧客端末６からの要求によって、物品の賃借希望のみを登録することが予め判明している場合は、賃借希望を入力する入力欄４２だけを備えた登録ページが送信されても良く、賃借希望を入力する入力欄４２と購入希望を入力する入力欄４１とを備えた登録ページが送信されても良い。
【００３６】
次に、顧客端末６から賃借希望情報を受信すると（ステップＳ５２）、受信した希望情報をデータベースに登録する（ステップＳ５３）と共に、データベースに登録した賃借希望情報を抽出してインターネットサイトの図１５に示す公開ページによって公開する（ステップＳ５４）。
公開ページには、入札情報を入力するための図１６に示す入札ページがリンクによって関連付けられており、入札ページ内に新品賃借のための入力欄５４と古品賃借のための入力欄５５とが付与されている。
そして、顧客端末６からの入札情報を受信すると（ステップＳ５５）、図１６に示す入札ページに受信した入札情報の状況を表示して公開する（ステップＳ５６）。図１６内に表示された「詳細」ボタン５３をクリックすると図１７に示す詳細画面が表示され、詳細内容を閲覧できる。
【００３７】
次に、入札が締め切られると、入札終了のメールを出品者の顧客端末６に送信し、メールに添付されるか、或いは、メールに記載されたアドレスにリンク付けされた図１８に示す入札結果を出品者の顧客端末６に送信し（ステップＳ５７）、出品者が入札結果から選択した選択結果を顧客端末６から受信すると（ステップＳ５８）、図１９に示す如く、受信した選択結果に基づき落札を決定し（ステップＳ５９）、落札結果をメール、又は、メールとメールに関連付けられたＷｅｂページによって出品者及び落札者の顧客端末６，６に送信する（ステップＳ６０）。
【００３８】
図８は、物品の購入希望と賃借希望とを併せて登録し、入札後に購入希望か賃借希望かを選択できるオークションである購入・賃借希望オークションのサーバに於ける処理の流れを示すフローチャートを示している。
サーバ３は、顧客端末６からの要求に基づき、顧客５が購入及び賃借希望の希望情報を登録するためのＷｅｂページである希望登録ページを顧客端末６に送信する（ステップＳ６１）。
この場合、図１４に示される登録ページが送信されるが、顧客端末６からの要求によって、物品の購入及び賃借を登録することが予め判明している場合は、購入及び賃借希望を入力する入力欄４３だけの登録ページが送信されても良い。
【００３９】
次に、顧客端末６から購入及び賃借希望情報を受信すると（ステップＳ６２）、受信した購入及び賃借希望情報をデータベースに登録する（ステップＳ６３）と共に、データベースに登録した購入及び賃借希望情報を抽出してインターネットサイトの図１５に示す公開ページによって公開する（ステップＳ６４）。
公開ページには、入札情報を入力するための図１６に示す入札ページがリンクによって関連付けられており、入札ページ内に新品購入のための入力欄５１、古品賃借のための入力欄５２、新品賃借のための入力欄５４、及び古品賃借のための入力欄５５が付与されている。
そして、顧客端末６からの入札情報を受信すると（ステップＳ６５）、図１６に示す入札ページに受信した入札情報の状況を表示して公開する（ステップＳ６６）。図１６内に表示された「詳細」ボタン５３をクリックすると図１７に示す詳細画面が表示され、詳細内容を閲覧できる。
【００４０】
次に、入札が締め切られると、入札終了のメールを出品者の顧客端末６に送信すると共に、メールに添付されるか、或いは、メールに記載されたアドレスにリンク付けされた図１８に示す入札結果を出品者の顧客端末６に送信し（ステップＳ６７）、出品者が入札結果から選択した選択結果を顧客端末６から受信すると（ステップＳ６８）、図１９に示す如く、受信した選択結果に基づき落札を決定し（ステップＳ６９）、落札結果をメール、又は、メールとメールに関連付けられたＷｅｂページによって出品者及び落札者の顧客端末６，６に送信する（ステップＳ７０）。
【００４１】
尚、前記インターネットオークション仲介システム１に於いて、前記入力欄３１，３３，４１，４３には、物品を処分する費用等のマイナス表示の金額を入力することも可能である。
又、前記インターネットオークション仲介システム１に於いて、顧客は会員登録を行なうが、顧客は、出品者、希望登録者、入札者、落札者のいずれにもなることができる。
更に、前記インターネットオークション仲介システム１に於いて、複数個の出品或いは希望登録が可能であり、同じく、複数個の入札、落札も可能である。
【図面の簡単な説明】
【００４２】
【図１】本発明によるインターネットオークション仲介システムの概要を示す説明図である。
【図２】本発明によるインターネットオークション仲介システムのサーバーが備える主な手段の説明図である。
【図３】本発明による販売出品オークションのサーバに於ける処理の流れを示すフローチャートである。
【図４】本発明による賃貸出品オークションのサーバに於ける処理の流れを示すフローチャートである。
【図５】本発明による販売・賃貸出品オークションのサーバに於ける処理の流れを示すフローチャートである。
【図６】本発明による購入希望オークションのサーバに於ける処理の流れを示すフローチャートである。
【図７】本発明による賃借希望オークションのサーバに於ける処理の流れを示すフローチャートである。
【図８】本発明による購入・賃借希望オークションのサーバに於ける処理の流れを示すフローチャートである。
【図９】本発明による販売出品、賃貸出品、又は、販売・賃貸出品のオークションための登録ページ画面である。
【図１０】本発明による販売出品、賃貸出品、又は、販売・賃貸出品のオークションための公開ページ画面である。
【図１１】本発明による販売出品、賃貸出品、又は、販売・賃貸出品のオークションための入札ページ画面である。
【図１２】本発明による販売出品、賃貸出品、又は、販売・賃貸出品のオークションための入札状況ページ画面である。
【図１３】本発明による販売出品、賃貸出品、又は、販売・賃貸出品のオークションための落札画面である。
【図１４】本発明による購入希望、賃借希望、又は、購入希望・賃借希望のオークションための登録ページ画面である。
【図１５】本発明による購入希望、賃借希望、又は、購入希望・賃借希望のオークションための公開ページ画面である。
【図１６】本発明による購入希望、賃借希望、又は、購入希望・賃借希望のオークションための入札ページ画面である。
【図１７】本発明による購入希望、賃借希望、又は、購入希望・賃借希望のオークションための入札詳細画面である。
【図１８】本発明による購入希望、賃借希望、又は、購入希望・賃借希望のオークションための入札結果画面である。
【図１９】本発明による購入希望、賃借希望、又は、購入希望・賃借希望のオークションための落札画面である。
【符号の説明】
【００４３】
１  インターネットオークション仲介システム
３  サーバ
４  インターネット
６  顧客端末
１１  登録ページ送信手段
１２  登録情報受信手段
１３  登録手段
１４  登録情報公開手段
１５  入札情報受信手段
１６  入札状況公開手段
１７  入札結果送信手段
１８  選択結果受信手段
１９  落札決定手段
２０  落札結果送信手段
２１  落札条件判別手段
【図１】
2007280245.tif 000003
【図２】
2007280245.tif 000004
【図３】
2007280245.tif 000005
【図４】
2007280245.tif 000006
【図５】
2007280245.tif 000007
【図６】
2007280245.tif 000008
【図７】
2007280245.tif 000009
【図８】
2007280245.tif 000010
【図９】
2007280245.tif 000011
【図１０】
2007280245.tif 000012
【図１１】
2007280245.tif 000013
【図１２】
2007280245.tif 000014
【図１３】
2007280245.tif 000015
【図１４】
2007280245.tif 000016
【図１５】
2007280245.tif 000017
【図１６】
2007280245.tif 000018
【図１７】
2007280245.tif 000019
【図１８】
2007280245.tif 000020
【図１９】
2007280245.tif 000021